(57)【要約】【課題】本発明はデスクワーク、および電卓打ち、パソコンのキーボードやマウスの操作時に、手のひらを圧しつけることにより生じる圧迫、冷え、しびれ、痛み、肩こり、血行不良の緩和および予防するとともに、常時装着しながら通常の作業および動作ができ、且つファッション性を備えたパッド付きリストバンドを提供することを目的とする。【解決手段】手のひら側の該手根部の側面を覆う弾性体を有するパット部と、該パット部を手首に係止する係止部からなることを特徴とするパッド付きリストバンドを提供する。このパッド付きリストバンドを装着した状態で、手首係止部を動かすことにより、弾性体を有するパッド部を使用者の用途および好みに合った位置に移動することができるパッド付きリストバンドを提供する。【選択図】図１
2006289032.tif 000002
【特許請求の範囲】
【請求項１】
手のひら側の該手根部の側面を覆う弾性体を有するパット部と、該パット部を手首に係止する係止部からなることを特徴とするパッド付きリストバンド。
【請求項２】
請求項１に記載のパッド付きリストバンドを装着した状態で、手首係止部を動かすことにより、弾性体を有するパッド部を使用者の用途および好みに合った位置に移動することができるパッド付きリストバンド。
【発明の詳細な説明】
【技術分野】
【０００１】本発明はデスクワーク、および電卓打ち、パソコンのキーボードやマウスの操作時に、手のひらを圧しつけることにより生じる圧迫、血行不良、冷えなどを予防するとともに、ファッション性も備えたパッド付きリストバンドに関する。
【背景技術】
【０００２】従来はデスクワーク、および電卓打ち、パソコンのキーボードやマウスを長時間操作する際に起こる、手のひら側にある手根部の圧迫、血行不良、冷え、痛み、しびれの発症を予防する対策がなかった。手首や手のひらにかかる疲労や負担を軽減することが必要であると考える。【０００３】従来、デスクの上で使用されているクッションは、マウス用はマウスだけであり、キーボード用はキーボードだけに使用目的が限定されている。そのためデスクの上が狭くなり筆記作業等の効率が悪くなることがあった。
【発明の開示】
【発明が解決しようとする課題】
【０００４】本発明は、上述の点に鑑みてなされたものでデスクワーク、および電卓打ち、パソコンのキーボードやマウスの操作時に、手のひらを圧しつけることにより生じる圧迫、冷え、しびれ、痛み、肩こり、血行不良の予防および緩和するとともに、常時装着しながら通常の作業および動作ができ、且つファッション性も備えたパッド付きリストバンドを提供することを目的とする。
【課題を解決するための手段】
【０００５】本発明は、手のひら側の該手根部の側面を覆う弾性体を有するパット部と、手首に係止する係止部からなることを特徴とするパッド付きリストバンドを提供する。【０００６】請求項１に記載のパッド付きリストバンドを装着した状態で、手首の係止部を動かすことにより、弾性体を有するパッド部を使用者の用途および好みに合った位置に移動することができるパッド付きリストバンドを提供する。
【発明の効果】
【０００７】本発明は両手または片手に、パッド付きリストバンドを図３に示してあるように装着することによりマウスおよびキーボードの操作時に生じる手根部の圧迫、冷え、しびれ、痛み、肩こり、血行不良を緩和および予防することができる。【０００８】さらに本発明のパッド付きリストバンドは、図４の弾性体を有するパット部が手根部側面を覆うことにより、マウスおよびキーボードの操作時に生じる摩擦を防止することができる。さらに、筆記作業中の手根部の摩擦も予防することができる。【０００９】請求項１に記載のパッド付きリストバンドを手首に装着させて、図１の係止部２を回転させることにより、弾性体を有するパッド部を使用者の用途および好みに合った位置に移動することができる。【００１０】デスクの上で使用されているクッションは、マウス用はマウスだけであり、キーボード用はキーボードだけに使用目的が限定されている。そのためデスクの上が狭くなり筆記作業等の効率が悪くなることがあったが、本発明のパッド付きリストバンドは常時装着することができるので、デスクをより広く有効に使用することができる。これにより作業効率を良くすることができるのである。【００１１】本発明のパッド付きリストバンドは、両手に装着したまま通常の作業および動作ができるという利点を備えている。また、片手のみの装着もできる。【００１２】本発明のパッド付きリストバンドを装着することにより、キーボードおよびマウスとデスクの段差を最小限にすることができる。これにより、手首をそらす無理な体勢をしなくて済むのである。そして手首にかかる負担および疲労を軽減できるのである。【００１３】また、手のひらの脂肪層や皮膚層の薄い幼児や子供が、キーボードおよびマウス操作をする場合、手根部をデスクに圧しつけることによってタコができたり皮膚が硬くなったりすることがある。これらは、本発明のパッド付きリストバンドを装着することにより予防することができる。【００１４】さらに幼児や子供に、本発明のパッド付きリストバンドを装着させることにより、キーボードおよびマウス操作時に起こる手根部の圧迫によるしびれ、痛みを予防することができるのである。
【発明を実施するための最良の形態】
【００１５】本発明は、図１の手首の係止部２に長方形からなる伸縮性のある素材を用いて筒状に形成し、縫製によって結合しリストバンドをつくる。次に、手首の係止部２の内側に、図１の弾性体を有するパット部１の一部を縫製して結合する。【００１６】図１の２の係止部には、タオル地の伸縮性のあるリストバンドを用いる。このリストバンドを図２のように裏返しにして図１の１のパッド部を縫製により結合させる。パッド部の中にはウレタンを入れる。パット部表面にはナイロンとポリウレタンの混合素材を用いるがこれに限定されるものではない。【００１７】図１の、パッド付きリストバンドの弾性体を有するパット部の厚さ、大きさ、形は限定されない。また、パッド付きリストバンドの弾性体を有するパット部の素材にはウレタン、コットンなどを用いるがこれに限定されるものではない。さらに、パッド付きリストバンドの係止部の素材は、伸縮性のあるものを用いるが、これに限定されるものではない。【００１８】本発明のパッド付きリストバンドには、弾性体を有するパット部の表側に、すべりのよい素材を用いることによりマウス操作をスムーズに行うことができる。【００１９】本発明のパッド付きリストバンドに用いる、図２の弾性体を有するパット部１の形は楕円形が好ましいが、これに限定するものではない。【００２０】手首の係止部にアニメキャラクターをデザインした伸縮性の布を用いることにより、子供用のパッド付きリストバンドを提供することができる。【００２１】また幼児や子供は、手が小さく手のひらの脂肪層や皮膚層も薄いので、弾性体を有するパット部は厚くする。パッド部を厚くすることにより、キーボードおよびマウス操作時のデスクとの段差を最小限にすることができる。【００２２】これにより、手首をそらす無理な体勢をしなくて済むのである。そして手首にかかる負担および疲労を軽減することができるのである。【００２３】幼児用や子供用の係止部リストバンドには、締め付けの緩い伸縮性のある素材を用いる。また、成長に合わせて調節できるようにするために、リストバンドの形成結合部を着脱できるようにする。この着脱部にはマジックテープなど、幼児や子供が容易に扱うことのできる素材を用いる。【００２４】本発明は、手首の係止部および弾性体を有するパット部の表面にレースおよびフリルを装飾することにより、ファッション性に富んだものをつくることができる。【００２５】係止部の形成結合部は、縫製での結合方法の他に、着脱できる部位を設けることで、手首の太さに対応して調節できるようにする。この結合部には、マジックテープなどの着脱を容易にできる素材を用いる。【００２６】本発明のパッド付きリストバンドは、使用者の手首の太さに対応するために図１手首の係止部２には、伸縮性のある素材を用いる。【００２７】パッド付きリストバンドの弾性体を有するパット部の表側に、クリーナー機能のある素材布を用いることにより、作業中のパソコンのモニター、携帯電話などを拭くことができる。パッド付きリストバンド本体は、容易に洗濯できる素材を用いることにより、衛生的に保つことができる。【００２８】本発明のパッド付きリストバンドには、綿やポリエステルなど、容易に洗濯できる素材で構成されるものをつくることができる。【００２９】図１のパッド付きリストバンド本体は、小さくてかさばらないので携帯に便利である。【００３０】本発明は、パッド付きリストバンドにカラフルでデザイン性のある素材を用いることにより、圧迫、冷え、しびれ、痛みの症状のない場合でも、手根部の保護に限定されず、ファッションの一部として装着することができる。【００３１】本発明のパッド付きリストバンドは、素材の組み合わせによりオールシーズン装着することができる。【００３２】図１の手首の係止部２に用いる素材にビーズ、スパンコールを装飾することにより、ファッション性のあるものをつくることができる。【００３３】また、図１の手首の係止部２に遠赤外線入り素材を用いることにより、手首の保温効果の優れたものを提供することができる。【００３４】本発明のパッド付きリストバンドは、日常の動作の妨げにならないように、非使用時には、パット部を手の甲側に移動することができ、また、ポケットに収納することもできるのである。【００３５】図３と図４は、パッド付きリストバンドを左手に装着した図である。図３は、パッド部１を手根部の側面を覆うように配置し、手首にリストバンド部２を装着して手のひら側からみた平面図である。図４は、パッド付きリストバンドを装着して小指側からみた図である。
【産業上の利用可能性】
【００３６】本発明はデスクワーク、およびパソコンのマウスやキーボードを操作する幼児から大人までの男女が装着することができるものである。
【図面の簡単な説明】
【００３７】
【図１】図１は、パッド付きリストバンドの表側の図である。
【図２】図２は、パッド付きリストバンドの裏側の図である。
【図３】図３は、パッド付きリストバンドを左手に装着した図である。
【図４】図４は、パッド付きリストバンドを左手に装着させ、小指側から見た図である。
【符号の説明】
【００３８】１弾性体のパット部
２手首の係止部
３係止部とパット部の結合部
【図１】
2006289032.tif 000003
【図２】
2006289032.tif 000004
【図３】
2006289032.tif 000005
【図４】
2006289032.tif 000006